(57)【要約】【課題】塵埃による悪臭を効果的に抑制し、かつ脱臭剤が詰まることなく確実に排出され使い勝手のよい電気掃除機用の集塵袋を提供する。【解決手段】塵埃吸引用の開口部１１を有すると共に掃除機本体内に装着される口芯１２と、口芯１２の開口部１１より吸引された塵埃を捕集する袋状体１７と、口芯１２の開口部１１に連通するとともに内部に粒状又は粉状の脱臭剤１４を収納した収納ケース１５とを備え、収納ケース１５の、口芯１２の開口部１１と連通する内周面２５に、突出部２９が設ける集塵袋とした。これにより、脱臭効果が長時間持続でき、且つ脱臭剤１４が収納ケース１５に詰まることなく排出される使用勝手の良い集塵袋を提供できる。【選択図】図１
2007159694.tif 000002
【特許請求の範囲】
【請求項１】
塵埃吸引用の開口部を有すると共に掃除機本体内に装着される口芯と、前記口芯の開口部より吸引された塵埃を捕集する袋状体と、前記口芯の開口部に連通するとともに内部に粒状又は粉状の脱臭剤を収納した収納ケースとを備え、前記収納ケースの前記口芯の開口部と連通する内周面に突出部を設けた集塵袋。
【請求項２】
突出部を、ゴム等の弾性材料で形成した請求項１に記載の集塵袋。
【請求項３】
突出部の端部を、略円弧状とした請求項１または２に記載の集塵袋。
【請求項４】
請求項１〜３のいずれか１項に記載の集塵袋を用いた電気掃除機。
【発明の詳細な説明】
【技術分野】
【０００１】
本発明は、電気掃除機用集塵袋及びこれを用いた電気掃除機に関するもので、特に、電気掃除機用の集塵袋内に堆積した塵埃の脱臭に関するものである。
【背景技術】
【０００２】
従来の電気掃除機用集塵袋内の塵埃から発する臭気の脱臭方法として、電気掃除機に、電気掃除機用集塵袋の口芯部を支持するフィルター台を設け、そのフィルター台に消臭芳香剤を設置したものがあった（例えば、特許文献１参照）。
【０００３】
図１１は、上記特許文献１に開示された電気掃除機の断面図を示すもので、電気掃除機本体１の前方には、集塵用ホース（図示せず）を着脱自在に接続する吸気口２と、この吸気口２に連通する集塵室３が設けられ、集塵室３内空間には、電気掃除機用集塵袋４の口芯部５を支持するフィルター台６が設けられており、このフィルター台６に、消臭芳香剤７が設置されていた。
【特許文献１】特許第２８１００９０号公報
【発明の開示】
【発明が解決しようとする課題】
【０００４】
しかしながら、上記特許文献１に記載された構成は、集塵室３内空間に消臭芳香剤６を設置して、集塵室３内に消臭成分を飛散させて、電気掃除機用集塵袋４内の塵埃の消臭を行い、運転時の排気臭を緩和させるようにしたものであるが、消臭芳香剤７は、塵埃の臭気に香りを混合させて、排気臭を緩和しようとするものであり、根本的な臭気の除去には至らず、吸引した塵埃の種類によっては、不快な異臭として電気掃除機本体１から排気されるという課題を有していた。
【０００５】
また、フィルター台６に消臭芳香剤７を配置させる構成により、フィルター台６等の部品点数が増え、安価に構成できないという課題があった。
【０００６】
本発明は、上記従来の課題を解決するもので、安価な構成で、電気掃除機用の集塵袋内の塵埃の量や貯留期間に関係なく、掃除機本体使用時の排気に含まれる塵埃由来の臭気を大幅に低減し、勝手の良い集塵袋及びこれを用いた電気掃除機を提供することを目的とする。
【課題を解決するための手段】
【０００７】
前記従来の課題を解決するために、本発明の電気掃除機用集塵袋は、塵埃吸引用の開口部を有すると共に掃除機本体内に装着される口芯と、前記口芯の開口部より吸引された塵埃を捕集する袋状体と、前記口芯の開口部に連通するとともに内部に粒状又は粉状の脱臭剤を収納した収納ケースとを備え、前記収納ケースの前記口芯の開口部と連通する内周面に突出部を設けたもので、掃除機本体による塵埃吸引時の吸引風により、収納ケース内の粒状又は粉状の脱臭剤が排出口から排出され、それが、吸引される塵埃と混合して袋状体内に堆積することにより、塵埃と脱臭剤の接触面積が極めて広くなり、しかも脱臭剤が、電気掃除機用の集塵袋が廃棄或いは、袋状体が空にされるまで残っているので、脱臭効果が大きくしかも長時間持続できるので、常に快適に掃除を行うことができる。また、掃除機本体による塵埃吸引時の吸引風が、収納ケースの内周面に設けた突出部に当たることより、収納ケースに微振動を伝え叩くことができ、その結果、収納ケース内の粒状又は粉状の脱臭剤は、収納ケースの排出口から確実に排出できることとなり、安価な構成で、使用勝手が向上する。
【発明の効果】
【０００８】
本発明の電気掃除機用集塵袋及び電気掃除機は、塵埃由来の悪臭が排気に含まれるのを大幅に低減し、かつ電気掃除機用集塵袋を容易に交換、使用することで長期に渡って脱臭効果を維持させることができる。
【発明を実施するための最良の形態】
【０００９】
第１の発明は、塵埃吸引用の開口部を有すると共に掃除機本体内に装着される口芯と、前記口芯の開口部より吸引された塵埃を捕集する袋状体と、前記口芯の開口部に連通するとともに内部に粒状又は粉状の脱臭剤を収納した収納ケースとを備え、前記収納ケースで、前記口芯の開口部と連通する内周面に、突出部を設けたもので、掃除機本体による塵埃吸引時の吸引風により、収納ケース内の粒状又は粉状の脱臭剤が排出口から排出され、それが、吸引される塵埃と混合して袋状体内に堆積することにより、塵埃と脱臭剤の接触面積が極めて広く、しかも脱臭剤が、電気掃除機用集塵袋が廃棄或いは、袋状体が空にされるまで残っているので、脱臭効果が大きくしかも長時間持続できるので、常に快適に掃除を行うことができる。また、また、掃除機本体による塵埃吸引時の吸引風が、収納ケースの内周面に設けた突出部に当たることより、収納ケースに微振動を伝え叩くことができ、安価な構成で、脱臭剤が詰まることなく確実に収納ケース内の脱臭剤を排出させることが可能となる。
【００１０】
第２の発明は、第１の発明の突出部を、ゴム等の弾性材料で形成することより、塵埃吸引時の吸引風と同時に侵入される塵埃は、ゴム等の弾性材料により引っ掛かることなく、収納ケースに微振動を伝え叩くことが可能となり、脱臭剤が詰まることなく確実に収納ケース内の脱臭剤を排出させることが可能となる。
【００１１】
第３の発明は、第１または第２の発明の突出部の端部を、略円弧状としたもので、塵埃吸引時の吸引風と同時に侵入される塵埃は、略円弧状の形状より塵埃引っ掛りが抑制され、より使用勝手の良い電気掃除機用の集塵袋が提供できる。
【００１２】
第４の発明は、第１〜第３のいずれか１つの発明の集塵袋を用いた電気掃除機としたもので、電気掃除機用の集塵袋内に堆積した塵埃による異臭を排気することがなく、常に快適に使用できる電気掃除機を提供することが出来る。
【００１３】
以下、本発明の実施の形態について、図面を参照しながら説明する。なお、この実施の形態によって本発明が限定されるものではない。
【００１４】
（実施の形態１）
図１は本発明の第１の実施の形態における電気掃除機用の集塵袋の展開斜視図、図２は同電気掃除機用の集塵袋の収納ケースの斜視図、図３は同電気掃除機用の集塵袋の部分斜視図、図４は同電気掃除機用の集塵袋の断面図である。
【００１５】
図５は、同電気掃除機用の集塵袋を搭載した電気掃除機の全体斜視図、図６は同電気掃除機の掃除機本体の断面図、図７は、同電気掃除機の要部断面図である。
【００１６】
図１において、本実施の形態における電気掃除機用集塵袋１０（以下“集塵袋１０”と称す）は、塵埃吸引用の開口部１１を有し紙材又は樹脂材からなる口芯１２と、口芯１２の裏面（掃除機本体１３に装着した時に、吸引風の下流側になる面）に取着されると共に粒状又は粉状の脱臭剤１４を収納する収納ケース１５と、前面に塵埃吸引用の吸引口１６を有し、紙や布などからなる濾材で袋状に形成された袋状体１７から構成されている。また袋状体１７は、収納ケース１５の裏面に接着して取り付けられている。
【００１７】
また、図１、図３において、口芯１２の前方には、遮蔽板１８が配設されており、この遮蔽板１８は、二つ折りで設けられており、折り返し線１９を中心に摺動側遮蔽板２０と、口芯１２に遮蔽板１８を固定する接着部２１を両側に配置した固定側遮蔽板２２からなっている。口芯１２の上部に切り離し自在なつまみ部２３が配置しており、つまみ部２３の表面にて遮蔽板１８の摺動側遮蔽板２０の上部とが接着されている。この構成より、つまみ部２３をちぎって引き上げることより、摺動側遮蔽板２０が摺動し袋状体１７に溜まった塵埃がこぼれないよう口芯１２の開口部１１を遮蔽させることとなる。
【００１８】
図１、図２において、収納ケース１５は、開口部２４を備えており、この開口部２４には吸引風の流れと平行な内周面２５が形成されている。内周面２５には、収納ケース１５の内部と開口部２４を連通し、内部に収納された脱臭剤１４が排出される排出口２６が設けられている。また、収納ケース１５の上端には、収納ケース１５内に脱臭剤１４を投入した後に閉じられる蓋２７が設けられている（図は、蓋２７を閉めた状態を示している）。
【００１９】
また、収納ケース１５の内周面２５で、排出口２６には、運搬時、脱臭剤１４の洩れを防止する為、覆部材２８が着脱自在に接着固定されている。
【００２０】
図２、図４において、収納ケース１５の内周面２５後方には、収納ケース１５の、開口部２４の中心に向かって、突出部２９が接着等により固着されている。
【００２１】
集塵袋１０の組み立ての際には、言うまでもなく、口芯１２の開口部１１と、収納ケース１５の開口部２４及び袋状体１７の吸引口１６が連通するように、それぞれの位置を合致させて取着されている。
【００２２】
図５、図６において、掃除機本体１３は、後部に走行用の後輪３０が一対、前部に同じく走行用の前輪キャスター３１がそれぞれ設けられている。掃除機本体１３の前面には、後述の集塵室３２に連通する吸気口３３が設けられ、この吸気口３３にホース３４の一端に設けた接続パイプ３５が接続され、ホース３４の他端には、掃除機本体１３を使用する際に操作する先端パイプ３６が設けられている。さらに先端パイプ３６は、延長管３７を介して床用吸い込み具３８に接続されている。
【００２３】
掃除機本体１３の前方に配設された集塵室３２には、集塵袋１０が装着自在に収納されており、集塵室３２の上部には集塵蓋３９が開閉自在に設けられている。
【００２４】
集塵室３２の後部に、吸引風を発生させる電動送風機４０を収納する電動送風機室４１が、背面に電動送風機室４１と外部を連通し、電動送風機４０からの排気風を排出する排気口４２がそれぞれ配されている。４３は、集塵室３２と電動送風機室４１とを仕切る隔壁で、集塵室３２と電動送風機室４１とを連通する格子状の開口４４が設けられている。
【００２５】
掃除機本体１３の前部に設けた吸気口３３の後端に、ゴム、塩化ビニール、シリコーンなどの弾性材料からなり後方に円環状のリップ４５を有するパッキン４６が設けられている。
【００２６】
図７において、掃除機本体１３への集塵袋１０の装着は、まず集塵袋１０の口芯１２の下端を掃除機本体１３の底部に設けた溝部４７に挿入し、口芯１２の上端を、掃除機本体１３に、傾動自在に設けられたフック４８に引っ掛けることにより完了する。また、集塵袋１０を、掃除機本体１３にセットした後、収納ケース１５の内周面２５で、排出口２６に接着固定されている覆部材２８を引き抜いてやれば、脱臭剤１４が排出されることとなる。
【００２７】
なお口芯１２が所定に位置に取り付けられている状態では、パッキン４６のリップ４５が口芯１２の開口部１１の周縁に圧接され、気密を保つようになっている。
【００２８】
以上のように構成された電気掃除機及び電気掃除機用集塵袋の動作、作用を説明する。
【００２９】
掃除機本体１３の集塵室３２に装着された集塵袋１０の、覆部材２８を、図７で示すように矢印方向に引き剥がす。次に掃除機本体１３から導出した電源コード（図示せず）のプラグ（図示せず）を壁コンセント（図示せず）に差し込み、先端パイプ３６に設けたスイッチ３６ａを操作すると、電動送風機４０の運転が開始し、それによって発生した吸引力が、ホース３４、延長管３７を経て、床用吸い込み具３８の底面に設けた吸い込み口（図示せず）に作用し、周囲の空気と共に、床面の塵埃が吸引される。
【００３０】
床用吸い込み具３８の吸い込み口から流入した空気は吸引風となって、塵埃と共に、延長管３７、ホース３４、吸気口３３をへて、口芯１２の開口部１１、収納ケース１５の開口部２４、袋状体１７の吸引口１６を通って、袋状体１７内に流入し、そこで塵埃が捕集され、きれいになった空気が、電動送風機４０を通って、排気口４２から外部に排出される。
【００３１】
そして、塵埃を含んだ吸引風が、収納ケース１５の開口部２４を通過する際に、図７に示すように、排出口２６を通して収納ケース１５内にエゼクター効果による吸引力が作用し、内部に収納された粒状又は紛状の脱臭剤１４が排出口２６から排出され、その排出された脱臭剤１４が塵埃と交じり合いながら、袋状体１７内に入り奥側（電動送風機４０側）から堆積していく。
【００３２】
以上のように、上記実施の形態によれば、掃除機本体１３による塵埃吸引時の吸引風により、収納ケース１５内の粒状又は粉状の脱臭剤１４が排出口２６から排出され、それが、吸引される塵埃と混合して袋状体１７内に堆積することにより、塵埃と脱臭剤１４の接触面積が極めて広く、しかも脱臭剤１４が、集塵袋１０が廃棄或いは、袋状体１７が空にされるまで残っているので、脱臭効果が大きくしかも長時間持続できるので、常に快適に掃除を行うことができる。
【００３３】
さらに、掃除機本体１３による塵埃吸引時の吸引風は、収納ケース１５の内周面２５後方に設けた突出部２９に当たることより、収納ケース１５に微振動を伝え叩くこととなり、脱臭剤１４が、収納ケース１５内に詰まることなく確実に脱臭剤１４を排出させることが可能となり脱臭効果が向上する。
【００３４】
また、図２、図４において、収納ケース１５の内周面２５後方に設けた突出部２９の端部４９を略円弧状５０とすることより、塵埃吸引時の吸引風と同時に侵入される塵埃は、略円弧状５０の形状より塵埃引っ掛りが抑制され、塵埃詰まりがなくなる。
【００３５】
また、図３、図４において、収納ケース１５の内周面２５後方に設けた突出部２９が複数個設けられている。
【００３６】
これによって、掃除機本体１３による塵埃吸引時の吸引風は、収納ケース１５の内周面２５後方に設けた突出部２９に確実に当たり、確実に収納ケース１５に微振動を伝え叩く効果が向上する。その結果、安価な構成で、脱臭剤１４が収納ケース１５内に詰まることなく確実に収納ケース１５内の脱臭剤１４を排出させることができる。
【００３７】
さらに、図３、図４において、収納ケース１５の内周面２５後方に設けた突出部２９をゴム等の弾性材料５１で形成されている。
【００３８】
上記構成により、塵埃吸引時の吸引風と同時に侵入される塵埃が、突出部２９に当たった時、突出部２９は、塵埃吸引方向（電動送風機４０側）に変形し、確実に塵埃が突出部２９に引っ掛かることがなくなり、塵埃詰まりを防止する。
【産業上の利用可能性】
【００３９】
以上のように、本発明にかかる電気掃除機用の集塵袋は、塵埃と脱臭剤との接触面積及び接触時間が従来に比べ飛躍的に多くなることにより脱臭効果が著しく向上し、且つ、脱臭剤が詰まることも無く、使用勝手がよいもので、電気掃除機に限らず、臭気を発する生ゴミ処理機等各種機器の用途にも適用できる。
【図面の簡単な説明】
【００４０】
【図１】本発明の実施の形態１における電気掃除機用の集塵袋の分解斜視図
【図２】同、集塵袋の収納ケースの斜視図
【図３】同、集塵袋の一部欠載斜視図
【図４】同、集塵袋の断面図
【図５】同、集塵袋を搭載した電気掃除機の全体斜視図
【図６】同、電気掃除機の掃除機本体の断面図
【図７】同、電気掃除機の要部断面図
【図８】従来の集塵袋を搭載した掃除機本体の断面図
【符号の説明】
【００４１】
１０  電気掃除機用集塵袋（集塵袋）
１１  開口部
１２  口芯
１３  掃除機本体
１４  脱臭剤
１５  収納ケース
１７  袋状体
２５  内周面
２９  突出部
４９  端部
５０  略円弧状
５１  弾性材料
【図１】
2007159694.tif 000003
【図２】
2007159694.tif 000004
【図３】
2007159694.tif 000005
【図４】
2007159694.tif 000006
【図５】
2007159694.tif 000007
【図６】
2007159694.tif 000008
【図７】
2007159694.tif 000009
【図８】
2007159694.tif 000010